(57)【要約】【課題】  遊技者が公平な遊技を行い易く、また、特別遊技状態に要する時間を短縮させることができる遊技機を提供する。【解決手段】  内側レール１９の途中に遊技球通過口２４を開設し、遊技領域３のうち遊技球通過口２４の側方に変動入賞装置１０を配置し、該変動入賞装置１０は、取付ベース３０と凹室３１と入賞口３２と開閉部材２５とを備え、開閉部材２５は、遊技球通過口２４を閉塞する閉状態と、遊技球通過口２４を開放して凹室３１の開口部３５に連通させる開状態とに変換可能とし、開閉部材２５を開状態に変換すると、該開閉部材２５が打球案内路４の下流側を閉塞するとともに、打球案内路４の上流側と遊技球通過口２４と開口部３５とを連通し、打球案内路４に案内される遊技球が前記遊技球通過口２４および開口部３５を通じて凹室３１内へ進入可能とし、該凹室３１内に進入した遊技球を入賞口３２へ入賞させるように構成した。【選択図】  図３
2006263124.tif 000002
【特許請求の範囲】
【請求項１】
遊技が行われる遊技領域と、該遊技領域を区画する内側レールと、該内側レールの外側に配置され、内側レールとの間に打球を遊技領域へ案内する打球案内路を形成する外側レールと、所定条件の成立により補助遊技を行うとともに、該補助遊技が特別の結果を生じると遊技者に特典を付与する特別遊技状態を発生可能な補助遊技手段と、該補助遊技手段が特別遊技状態を発生した場合において遊技球を入賞可能な変動入賞装置と、を備えた遊技機において、
前記内側レールの途中に、打球案内路上の遊技球が通過可能な遊技球通過口を開設し、前記遊技領域のうち遊技球通過口の側方に前記変動入賞装置を配置し、
該変動入賞装置は、
当該変動入賞装置を遊技盤に取り付けるための取付ベースと、
遊技球を受入可能な開口部を開設した凹室と、
該凹室内に設けられ、遊技球が入賞可能な入賞口と、
前記取付ベースに回動可能な状態で軸着された開閉部材と、
を備え、
前記開閉部材は、回動軸周りに回動することにより、前記遊技球通過口を閉塞する閉状態と、前記遊技球通過口を開放して凹室の開口部に連通させる開状態とに変換可能とし、
前記開閉部材を開状態に変換すると、該開閉部材が打球案内路の下流側を閉塞するとともに、打球案内路の上流側と遊技球通過口と開口部とを連通し、打球案内路に案内される遊技球が前記遊技球通過口および開口部を通じて凹室内へ進入可能とし、該凹室内に進入した遊技球を入賞口へ入賞させるように構成されたことを特徴とする遊技機。
【請求項２】
前記凹室の開口部と開閉部材との間に、前記変動入賞装置の下方の遊技領域に連通する流下空部を設け、
前記開閉部材を開状態に変換すると、該開閉部材が打球案内路の下流側を閉塞するとともに、打球案内路の上流側と遊技球通過口と開口部とを連通し、
前記打球案内路に案内される遊技球が前記遊技球通過口および開口部を通じて凹室内へ進入可能とし、該凹室内に進入した遊技球を入賞口へ入賞させ、凹室内へ進入しなかった遊技球を前記流下空部へ流下させるように構成されたことを特徴とする請求項１に記載の遊技機。
【請求項３】
前記開閉部材は、前記凹室へ対向する側に、遊技球を凹室へ誘導可能な誘導曲面部を形成し、
前記凹室は、前記開閉部材の回動軸の近傍に配置され、入賞口に入賞した遊技球を検出する入賞センサを備え、
該入賞センサは、
遊技球を通過させる検出孔を開設し、
該検出孔の縁部を、開状態に変換した開閉部材の誘導曲面部の延長線上に配置したことを特徴とする請求項１または請求項２に記載の遊技機。
【請求項４】
前記外側レールの内壁面に開閉部材の先端部を収納可能な段差部を設けたことを特徴とする請求項１から請求項３のいずれかに記載の遊技機。
【発明の詳細な説明】
【技術分野】
【０００１】
本発明は、所定条件の成立により特別遊技状態を発生した場合において遊技球を入賞可能な変動入賞装置を備えたパチンコ遊技機などの遊技機に関する。
【背景技術】
【０００２】
従来の遊技機、例えば、パチンコ遊技機は、遊技中に所定条件が成立すると特別遊技状態（所謂大当たり）を発生し、遊技領域の下部に設けられた変動入賞装置（大入賞口）を開放して遊技球が入賞可能な状態に変換し、変動入賞装置に所定個数の遊技球が入賞する等の条件が成立すると特別遊技状態が終了するように構成されている。このようなパチンコ遊技機では、遊技球が発射されてから遊技領域の下部へ流下し、変動入賞装置へ入賞するまでに時間が掛かってしまい、そのため、特別遊技状態を短時間で終了させ、迅速な展開で遊技を進行させることが困難である。そこで、遊技領域の右側上部に開閉扉を備えた変動入賞装置を設け、特別遊技状態において遊技球を右打ちすると、ほとんどの遊技球が変動入賞装置に入賞して特別遊技状態の時間を短縮できるように構成された遊技機が提案されている（特許文献１参照）。
【特許文献１】特開２００３−７１０２１号公報
【発明の開示】
【発明が解決しようとする課題】
【０００３】
ところで、上記特許文献に記載の遊技機においては、特別遊技状態が発生すると、遊技者は、遊技球の打ち方を右打ちに切り替えて変動入賞装置へ遊技球を入賞させなければならない。しかしながら、遊技に不慣れな遊技者は、特別遊技状態の発生時に打ち方を切り替えるタイミングを把握することに慣れていないため、特別遊技状態の開始直後から遊技球を入賞させることができない虞がある。したがって、上記遊技機では、熟練した遊技者と不慣れな遊技者との間で遊技を公平に行うことが困難である。
【０００４】
また、一般に、遊技領域には複数の釘が植設されているため、遊技領域を飛翔して変動入賞装置へ向かう遊技球が釘に当たってしまうことも考えられる。したがって、遊技領域へ打ち出した全ての遊技球が必ずしも変動入賞装置へ入賞するとは限らず、短時間で特別遊技状態を終了させ難い。
【０００５】
さらに、近年では、遊技領域に配置されるセンターケースを大型化して、遊技演出を高めようとする傾向にある。しかしながら、上記特許文献に記載の遊技機に大型のセンターケースを備えると、遊技領域の上端部とセンターケースとの間の領域が狭くなってしまう。このような状態の遊技領域に対して、大量の遊技球を連続して右打ちすると、遊技領域の狭くなった部分に遊技球が詰まってしまう虞がある。また、センターケースの上部に多くの遊技球が衝突するので、センターケースが摩耗、劣化を起こし易くなってしまう。
【０００６】
そこで、本発明は、上記の事情に鑑みてなされたものであり、その目的は、遊技者が公平な遊技を行い易く、また、特別遊技状態に要する時間を短縮させることができる遊技機を提供しようとするものである。
【課題を解決するための手段】
【０００７】
本発明は、上記目的を達成するために提案されたものであり、請求項１に記載のものは、遊技が行われる遊技領域と、該遊技領域を区画する内側レールと、該内側レールの外側に配置され、内側レールとの間に打球を遊技領域へ案内する打球案内路を形成する外側レールと、所定条件の成立により補助遊技を行うとともに、該補助遊技が特別の結果を生じると遊技者に特典を付与する特別遊技状態を発生可能な補助遊技手段と、該補助遊技手段が特別遊技状態を発生した場合において遊技球を入賞可能な変動入賞装置と、を備えた遊技機において、
前記内側レールの途中に、打球案内路上の遊技球が通過可能な遊技球通過口を開設し、前記遊技領域のうち遊技球通過口の側方に前記変動入賞装置を配置し、
該変動入賞装置は、
当該変動入賞装置を遊技盤に取り付けるための取付ベースと、
遊技球を受入可能な開口部を開設した凹室と、
該凹室内に設けられ、遊技球が入賞可能な入賞口と、
前記取付ベースに回動可能な状態で軸着された開閉部材と、
を備え、
前記開閉部材は、回動軸周りに回動することにより、前記遊技球通過口を閉塞する閉状態と、前記遊技球通過口を開放して凹室の開口部に連通させる開状態とに変換可能とし、
前記開閉部材を開状態に変換すると、該開閉部材が打球案内路の下流側を閉塞するとともに、打球案内路の上流側と遊技球通過口と開口部とを連通し、打球案内路に案内される遊技球が前記遊技球通過口および開口部を通じて凹室内へ進入可能とし、該凹室内に進入した遊技球を入賞口へ入賞させるように構成されたことを特徴とする遊技機である。
【０００８】
請求項２に記載のものは、前記凹室の開口部と開閉部材との間に、前記変動入賞装置の下方の遊技領域に連通する流下空部を設け、
前記開閉部材を開状態に変換すると、該開閉部材が打球案内路の下流側を閉塞するとともに、打球案内路の上流側と遊技球通過口と開口部とを連通し、
前記打球案内路に案内される遊技球が前記遊技球通過口および開口部を通じて凹室内へ進入可能とし、該凹室内に進入した遊技球を入賞口へ入賞させ、凹室内へ進入しなかった遊技球を前記流下空部へ流下させるように構成されたことを特徴とする請求項１に記載の遊技機である。
【０００９】
請求項３に記載のものは、前記開閉部材は、前記凹室へ対向する側に、遊技球を凹室へ誘導可能な誘導曲面部を形成し、
前記凹室は、前記開閉部材の回動軸の近傍に配置され、入賞口に入賞した遊技球を検出する入賞センサを備え、
該入賞センサは、
遊技球を通過させる検出孔を開設し、
該検出孔の縁部を、開状態に変換した開閉部材の誘導曲面部の延長線上に配置したことを特徴とする請求項１または請求項２に記載の遊技機である。
【００１０】
請求項４に記載のものは、前記外側レールの内壁面に開閉部材の先端部を収納可能な段差部を設けたことを特徴とする請求項１から請求項３のいずれかに記載の遊技機である。
【発明の効果】
【００１１】
本発明によれば、以下のような優れた効果を奏する。
請求項１に記載の発明によれば、内側レールの途中に、打球案内路上の遊技球が通過可能な遊技球通過口を開設し、遊技領域のうち遊技球通過口の側方に変動入賞装置を配置し、該変動入賞装置は、当該変動入賞装置を遊技盤に取り付けるための取付ベースと、遊技球を受入可能な開口部を開設した凹室と、該凹室内に設けられ、遊技球が入賞可能な入賞口と、取付ベースに回動可能な状態で軸着された開閉部材とを備え、開閉部材は、回動軸周りに回動することにより、遊技球通過口を閉塞する閉状態と、遊技球通過口を開放して凹室の開口部に連通させる開状態とに変換可能とし、開閉部材を開状態に変換すると、該開閉部材が打球案内路の下流側を閉塞するとともに、打球案内路の上流側と遊技球通過口と開口部とを連通し、打球案内路に案内される遊技球が遊技球通過口および開口部を通じて凹室内へ進入可能とし、該凹室内に進入した遊技球を入賞口へ入賞させるように構成したので、補助遊技手段が特別遊技状態を発生した場合に、特別な打ち方を行わなくても容易に遊技球を変動入賞装置へ入賞させることができる。したがって、遊技に熟練した遊技者と遊技に不慣れな遊技者との間で、特別遊技状態のときに得られる遊技価値の差が大きくなることを抑えようとすることができ、公平な遊技を行い易い。
【００１２】
また、特別遊技状態発生時に、遊技球を短時間で変動入賞装置へ入賞させることができる。さらに、変動入賞装置へ所定個数の遊技球を入賞させ易くなり、特別遊技状態を迅速に終了させることができ、次回の特別遊技状態が開始し得る状態を速やかに実現することができる。したがって、特別遊技の発生確率が変動したときに、今回の特別遊技状態の開始から次回の特別遊技状態の開始までの間隔が短縮できる。このことから、迅速な展開で遊技を進行させることができ、遊技者に、短時間で多くの特別遊技が発生し易いという印象を与えることができる。したがって、遊技の興趣を図ることができる。
そして、変動入賞装置に入賞させるために、短期間に多くの遊技球が遊技領域へ打ち込まれることがない。したがって、特別遊技状態発生時に大量の遊技球がセンターケースに衝突することを防ぐことができ、センターケースを損傷し難くすることができる。また、センターケースが大型化して遊技領域の一部が狭くなったとしても、この狭い部分に遊技球が詰まってしまう不都合を引き起こし難い。
さらに、内側レールの側方に変動入賞装置を配置したので、遊技球が流下し難い遊技領域の一部を有効利用することができる。
【００１３】
請求項２に記載の発明によれば、凹室の開口部と開閉部材との間に、変動入賞装置の下方の遊技領域に連通する流下空部を設け、開閉部材を開状態に変換すると、該開閉部材が打球案内路の下流側を閉塞するとともに、打球案内路の上流側と遊技球通過口と開口部とを連通し、打球案内路に案内される遊技球が遊技球通過口および開口部を通じて凹室内へ進入可能とし、該凹室内に進入した遊技球を入賞口へ入賞させ、凹室内へ進入しなかった遊技球を流下空部へ流下させるように構成したので、遊技者は、遊技球通過口を通過した遊技球が入賞口へ入賞するか否かを楽しむことができ、遊技の興趣を向上させようとすることができる。また、遊技球通過口を通過した遊技球の全てが入賞口へ入賞することを避けるようにすることができる。これにより、遊技者に過度の利益を与え難くすることができ、遊技店側と遊技者側との利益のバランスを調整し易くすることができる。
【００１４】
請求項３に記載の発明によれば、開閉部材は、凹室へ対向する側に、遊技球を凹室へ誘導可能な誘導曲面部を形成し、凹室は、開閉部材の回動軸の近傍に配置され、入賞口に入賞した遊技球を検出する入賞センサを備え、該入賞センサは、遊技球を通過させる検出孔を開設し、該検出孔の縁部を、開状態に変換した開閉部材の誘導曲面部の延長線上に配置したので、打球案内路を移動する発射勢の強い遊技球を変動入賞装置内へスムーズに誘導することができる。また、変動入賞装置内へ案内された遊技球が入賞センサに衝突し難くなり、遊技球を入賞センサによって検出し易くすることができる。さらに、入賞センサが損傷してしまう不都合を生じ難い。
【００１５】
請求項４に記載の発明によれば、外側レールの内壁面に開閉部材の先端部を収納可能な段差部を設けたので、開閉部材の先端に遊技球が衝突する不都合を抑えることができ、遊技球を一層スムーズに変動入賞装置内へ誘導することができる。また、開閉部材の先端が損傷し難くなるとともに、遊技球が開閉部材の先端に弾き返されて打球案内路を逆流してしまう不具合を無くすことができる。
【発明を実施するための最良の形態】
【００１６】
以下、代表的な遊技機であるパチンコ遊技機を例に挙げて本発明の実施の最良の形態を図面に基づき説明する。図１はパチンコ遊技機の遊技盤１の正面図である。
【００１７】
パチンコ遊技機の遊技盤１は、図１に示すように、その表面に、遊技球を流下させる等して遊技が行われる遊技領域３と、発射装置（図示せず）から打ち出された遊技球（打球）を遊技領域３内へ案内するための打球案内路４とを形成し、遊技領域３内の略中央には、変動表示部５（本発明における補助遊技手段に相当）を前方に臨ませたセンターケース６を配設し、該センターケース６の下方には、遊技球を入賞可能な始動口７と遊技球が通過可能な普通図柄始動ゲート８とを配置し、始動口７および普通図柄始動ゲート８の下方には一般入賞口９を配置している。また、センターケース６の側方（図中左側方）には、打球案内路４を飛翔する遊技球（打球）を入賞可能な変動入賞装置（所謂大入賞口）１０を備えている。そして、センターケース６、始動口７、普通図柄始動ゲート８、一般入賞口９、変動入賞装置１０等の取付部分を除いた遊技領域３内に障害釘（図示せず）を植設してある。さらに、遊技盤１は、この他に、遊技球の流下方向を変える風車（図示せず）、及び入賞せずに流下した遊技球を回収するアウト口１１を設けている。なお、センターケース６の変動表示部５は、所定条件の成立、例えば始動口７への入賞に基づいて、表示状態を変動させる補助遊技を行い、該補助遊技が特別の結果（例えば大当たり）を生じると、遊技者に特典（例えば大量の賞球の獲得チャンス）を付与する特別遊技状態を発生できるように構成されている。また、変動入賞装置１０については後で詳細に説明する。
【００１８】
遊技領域３は、遊技盤１の縁部に沿って配置された遊技領域区画部材１４により、略円形状に区画形成されている。遊技領域区画部材１４は、遊技領域３の右上方に配置される右上側区画部材１５と、遊技領域３の右下方に配置される右下側区画部材１６と、遊技領域３の左側方に配置される左側区画部材１７とにより構成されている。そして、左側区画部材１７には、遊技領域３の左縁側を区画する縦向き円弧状の内側レール１９と、該内側レール１９の外方（すなわち、内側レール１９を挟んで遊技領域３とは反対側の位置）に配置され、内側レール１９との間に打球案内路４を形成する縦向き円弧状の外側レール２０とを前方へ突出している。また、外側レール２０の内壁面、すなわち打球案内路４に臨ませた側面には、金属帯板製のガイドレールバンド２１を外側レール２０に沿って円弧状に取り付け、内側レール１９の上端には球戻り防止片２２を、打球案内路４の出口に臨ませた状態で配置し、この球戻り防止片２２により打球案内路４から遊技領域３への遊技球の移動を許容し、遊技領域３から打球案内路４への遊技球の移動を防止できるように構成されている。なお、左側区画部材１７は、内側レール１９および外側レール２０を一体成型しているが、別個に成型された内側レール１９および外側レール２０を当該左側区画部材１７の前面に取り付けてもよい。
【００１９】
そして、遊技盤１は、左側区画部材１７の内側レール１９の途中、具体的には球戻り防止片２２の近傍の部分（打球案内路４の出口寄りの部分）を切り欠いて、打球案内路４上の遊技球が通過可能な遊技球通過口２４を開設し、外側レール２０の内壁面およびガイドレールバンド２１のうち、遊技球通過口２４に対向する箇所には、後述する変動入賞装置１０の開閉部材２５の先端部を収納可能な段差部２６（図２参照）を設け、遊技領域３のうち遊技球通過口２４の側方に変動入賞装置１０を配置している。変動入賞装置１０は、センターケース６の変動表示部５が特別遊技状態を発生した場合において遊技球を入賞可能な装置であり、図２〜図４に示すように、左側区画部材１７に一体的に成型され、当該変動入賞装置１０を遊技盤１に取り付けるための取付ベース３０と、取付ベース３０の略中央部分に形成された凹室３１と、該凹室３１内に設けられ、遊技球が入賞可能な入賞口３２と、内側レール１９の遊技球通過口２４を開閉可能な開閉部材２５とを備えて構成されている。
【００２０】
取付ベース３０は、その前面に略逆Ｃ字状の球侵入阻止壁３４を前方へ向けて突出し、該球侵入阻止壁３４に囲まれた空間を凹室３１とし、球侵入阻止壁３４の上部（庇部）の左側端と下部（棚部）の左側端との間、すなわち凹室３１の左側には、遊技球を受入可能な開口部３５を開設している。また、球侵入阻止壁３４の上部の左側端（開口部３５の上縁部）を、内側レール１９のうち遊技球通過口２４よりも上方の部分に接続し、球侵入阻止壁３４の下部の左側端（開口部３５の下縁部）を、内側レール１９のうち遊技球通過口２４よりも下方の部分から僅かに離れた位置（具体的には、遊技球の直径よりも短い距離で離れた位置）に配置している。したがって、変動入賞装置１０は、遊技球通過口２４を通過した遊技球のみを開口部３５から凹室３１へ受入可能であるが、遊技領域３を流下する遊技球が変動入賞装置１０の凹室３１内に受け入れることはない。なお、球侵入阻止壁３４の上部前面および下部前面には、直線状あるいは三角形状の装飾部３６を形成している。
【００２１】
さらに、図４に示すように、球侵入阻止壁３４の下部の上面（凹室３１の下方に臨ませた面）を遊技球通過口２４から下り傾斜させて遊技球転動部３８を形成し、該遊技球転動部３８の下端の後方に入賞口３２を開設し、遊技球転動部３８の前縁部には、遊技球を入賞口３２へ案内する案内壁３９を立設している。また、入賞口３２の後方には、図５に示すように、中間部分に入賞センサ４０を配置した入賞球排出路４１を備え、入賞口３２を通過した入賞球を検出し、遊技盤１の裏側へ排出できるように構成されている。
【００２２】
開閉部材２５は、内側レール１９と略同じ曲率で彎曲した縦長な部材であり、上端部（軸着部）を遊技球通過口２４の上縁部近傍（あるいは凹室３１の開口部３５の上縁部近傍）に配置するとともに、上端部から回動軸４３を後方へ向けて突設し、該回動軸４３を中心にして取付ベース３０に回動可能な状態で軸着され、回動軸４３の後端にソレノイド等の回動駆動源（図示せず）を接続している。そして、例えば、ソレノイドを消磁した常態においては、当該開閉部材２５の下端部（先端部）を遊技球通過口２４の下縁部近傍（あるいは凹室３１の開口部３５の下縁部近傍）に配置して遊技球通過口２４および開口部３５を閉塞する閉状態を維持し（図２参照）、ソレノイドを励磁すると、回動軸４３周りに回動し、当該開閉部材２５の下端部が打球案内路４を横切って外側レール２０の段差部２６に収納され、遊技球通過口２４を開放して凹室３１の開口部３５に連通させる開状態に変換する（図３参照）。また、開閉部材２５の内側、すなわち凹室３１へ対向する側には、打球案内路４を飛翔する遊技球を凹室３１へ誘導可能な誘導曲面部４４を形成し、開閉部材２５が開状態に変換すると、誘導曲面部４４の先端部分（下端部分）が外側レール２０の内壁面の上方近傍に配置されるように構成されている。
【００２３】
このような構成の変動入賞装置１０を備えたパチンコ遊技機において、発射装置から遊技球を発射すると、この遊技球は、打球案内路４に案内されて遊技領域３の上部に達した後、障害釘や風車により方向を変えながら遊技領域３内を流下する。この遊技球が一般入賞口９、始動口７に入賞した場合には所定の賞球が遊技者に付与され、何れにも入賞しなかった場合には、アウト口１１へ排出される。
【００２４】
また、遊技球が始動口７に入賞すると、センターケース６の変動表示部５が補助遊技を行い、該補助遊技の結果、大当たりが発生すると、パチンコ遊技機は、特別遊技状態の第１ラウンドを開始し、変動入賞装置１０の開閉部材２５を開状態に変換する。すると、開閉部材２５が回動して打球案内路４の下流側（出口側）を閉塞するとともに、打球案内路４の上流側（発射装置側）と遊技球通過口２４と開口部３５とを連通する。この状態で発射装置から遊技球を発射すると、この遊技球は打球案内路４に案内され、開閉部材２５が閉塞している箇所まで到達すると、誘導曲面部４４に誘導されて遊技球通過口２４へ向かい、遊技球通過口２４および開口部３５を通過して凹室３１内へ進入する。そして、遊技球の飛翔勢いが強く、遊技球が上昇し続ける程度の勢いを有する場合には、球侵入阻止壁３４の上部内側面および右部内側面に案内されて入賞口３２へ向かう。また、飛翔勢いが弱く、遊技球が失速して落下する程度の勢いしか有しない場合には、遊技球転動部３８に落下して入賞口３２へ向けて転動し、入賞口３２へ入賞する。入賞口３２へ入賞した遊技球（入賞球）は、入賞球排出路４１を通り、入賞センサ４０により検出され、その後遊技盤１の裏側に排出される。
【００２５】
そして、所定個数（例えば１０個）の遊技球が入賞口３２へ入賞するか、あるいは一定時間が経過すると、パチンコ遊技機は、変動入賞装置１０の開閉部材２５を閉状態に変換し、特別遊技状態の第１ラウンドを終了し、その後、再び変動入賞装置１０の開閉部材２５を開状態に変換して第２ラウンドを開始する。このように開閉部材２５の開放を間欠的に最大１６回繰り返し、最終ラウンドを終了すると特別遊技状態から通常遊技状態に戻る。
【００２６】
このように、本実施形態のパチンコ遊技機では、打球案内路４を飛翔する遊技球を入賞可能な変動入賞装置１０を備えたので、センターケース６の変動表示部５において特別遊技状態を発生した場合に、特別な打ち方を行わなくても容易に遊技球を変動入賞装置１０へ入賞させることができる。したがって、遊技に熟練した遊技者と遊技に不慣れな遊技者との間で、特別遊技状態のときに得られる遊技価値の差が大きくなることを抑えようとすることができ、公平な遊技を行い易い。
【００２７】
また、特別遊技状態発生時に、遊技球を短時間で変動入賞装置１０へ入賞させることができる。さらに、変動入賞装置１０へ所定個数の遊技球を入賞させ易くなり、特別遊技状態を迅速に終了させることができ、次回の特別遊技状態が開始し得る状態を速やかに実現することができる。したがって、特別遊技の発生確率が変動したときに、今回の特別遊技状態の開始から次回の特別遊技状態の開始までの間隔が短縮できる。このことから、迅速な展開で遊技を進行させることができ、遊技者に、短時間で多くの特別遊技が発生し易いという印象を与えることができる。したがって、遊技の興趣を高めることができる。
【００２８】
そして、変動入賞装置１０に入賞させるために、短期間に多くの遊技球が遊技領域３へ打ち込まれることがない。したがって、特別遊技状態発生時に大量の遊技球がセンターケース６に衝突することを防ぐことができ、センターケース６を損傷し難くすることができる。また、センターケース６が大型化して遊技領域３の一部が狭くなったとしても、この狭い部分に遊技球が詰まってしまう不都合を引き起こし難い。
さらに、内側レール１９の側方に変動入賞装置１０を配置したので、遊技球が流下し難い遊技領域３の一部を有効利用することができる。
【００２９】
また、開閉部材２５が開状態に変換すると、開閉部材２５の先端部を外側レール２０の段差部２６へ収納することができる。したがって、開閉部材２５の先端に遊技球が衝突する不都合を抑えることができ、遊技球を一層スムーズに変動入賞装置１０内へ誘導することができる。また、開閉部材２５の先端が損傷し難くなるとともに、遊技球が開閉部材２５の先端に弾き返されて打球案内路４を逆流してしまう不具合を無くすことができる。
【００３０】
ところで、上記実施形態の変動入賞装置１０では、開閉部材２５を開状態にして遊技球通過口２４から取り込んだ遊技球を全て入賞口３２へ入賞できるように構成したが、本発明はこれに限定されない。例えば、図６〜図９に示す第２実施形態の変動入賞装置５０は、基本的には第１実施形態と同じであるが、球侵入阻止壁３４の構成および凹室３１の内部の構成が異なる。具体的に説明すると、第２実施形態の変動入賞装置５０は、球侵入阻止壁３４の下部の左側端（開口部３５の下縁部）と、内側レール１９のうち遊技球通過口２４よりも下方の部分との間を、遊技球が十分に流下可能な間隔をおいて離し、凹室３１の開口部３５と開閉部材２５との間に遊技領域３へ連通する流下空部５１を設けている。また、球侵入阻止壁３４の下部の左側端に遊技球転動部３８から一段上方へ隆起した隆起部５２を設け、該隆起部５２と球侵入阻止壁３４の上部との間、すなわち凹室３１の開口部３５に入賞センサ５３を後方から差し込んで取り付けている（図９参照）。
【００３１】
この入賞センサ５３は、開閉部材２５の回動軸４３の近傍、すなわち開閉部材２５の上端部の近傍に配置され、遊技球を通過させる検出孔５４を開設するとともに、この検出孔５４のうち開閉部材２５側の開口縁を入賞口５５とし、入賞口５５および検出孔５４を通過した球を入賞球として検出できるように構成されている。そして、図７に示すように、検出孔５４および入賞口５５の縁部（上縁部）を、開状態に変換した開閉部材２５の誘導曲面部４４の延長線上に配置している。
【００３２】
このような変動入賞装置５０を備えたパチンコ遊技機において、開閉部材２５が開状態に変換している時に遊技球を発射装置から発射すると、この遊技球は、打球案内路４を上方へ飛翔し、開閉部材２５が打球案内路４を閉塞している箇所まで到達すると、誘導曲面部４４に誘導されて遊技球通過口２４へ向かい、遊技球通過口２４を通過する。そして、遊技球は、その飛翔勢いが強く、遊技球が上昇し続ける程度の勢いを有する場合（図７中実線で表示）には、凹室３１内（詳しくは凹室３１の開口部３５内）に進入し、入賞口５５および検出孔５４を通過して入賞し、入賞センサ５３に検出される。検出孔５４を通過した遊技球は、凹室３１の下方へ落下して入賞球排出路（図示せず）を通り、遊技盤１の裏側に排出される。また、遊技球通過口２４を通過した遊技球の飛翔勢いが弱く、遊技球が失速して落下する程度の勢いしか有しない場合（図７中二点鎖線で表示）には、この遊技球は、凹室３１内へ進入せずに流下空部５１へ流下し、変動入賞装置５０の下方の遊技領域３へ落下する。
【００３３】
このように、第２実施形態の変動入賞装置５０は、凹室３１内へ進入しなかった遊技球を流下空部５１へ流下させるので、遊技者は、遊技球通過口２４を通過した遊技球が入賞口５５へ入賞するか否かを楽しむことができ、遊技の興趣を向上させようとすることができる。また、遊技球通過口２４を通過した遊技球の全てが入賞口５５へ入賞することを避けるようにすることができる。これにより、遊技者に過度の利益を与え難くすることができ、遊技店側と遊技者側との利益のバランスを調整し易くすることができる。
【００３４】
また、入賞センサ５３の検出孔５４の縁部を、開状態に変換した開閉部材２５の誘導曲面部４４の延長線上に配置したので、打球案内路４を移動して発射勢の強い遊技球を変動入賞装置５０内へスムーズに誘導することができる。また、変動入賞装置５０内へ案内された遊技球が入賞センサ５３に衝突し難くなり、遊技球を入賞センサ５３によって検出し易くすることができる。さらに、入賞センサ５３が損傷してしまう不都合を生じ難い。
【００３５】
なお、上記実施形態では、変動入賞装置１０，５０を内側レール１９の上寄り（打球案内路４の出口寄り）の位置に配置したが、本発明はこれに限定されず、内側レール１９の上下方向の真中部分に備えてもよいし、あるいは内側レール１９の下寄り（打球案内路４の入口寄り、すなわち発射装置寄り）の位置に配置してもよい。
【００３６】
また、上記した実施形態は、代表的な遊技機であるパチンコ遊技機を例にして説明したが、本発明はこれに限らず、遊技領域３へ遊技球を案内する打球案内路４を備えた遊技機であればどのような遊技機でもよい。例えば、内部に封入した遊技球を循環させる封入球式パチンコ機、アレンジボール式遊技機、雀球式遊技機等の遊技機であってもよい。
【００３７】
前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３８】
【図１】パチンコ遊技機の遊技盤の正面図である。
【図２】開閉部材を閉状態に変換した変動入賞装置の正面図である。
【図３】開閉部材を開状態に変換した変動入賞装置の正面図である。
【図４】開閉部材を閉状態に変換した変動入賞装置の斜視図である。
【図５】図２におけるＡ−Ａ断面図である。
【図６】開閉部材を閉状態に変換した第２実施形態の変動入賞装置の正面図である。
【図７】開閉部材を開状態に変換した第２実施形態の変動入賞装置の正面図である。
【図８】第２実施形態の変動入賞装置の斜視図であり、（ａ）は開閉部材を閉状態に変換した状態図、（ｂ）は開閉部材を開状態に変換した状態図である。
【図９】入賞センサを取り外した第２実施形態の変動入賞装置の斜視図である。
【符号の説明】
【００３９】
１  遊技盤
３  遊技領域
４  打球案内路
１０  変動入賞装置
１４  遊技領域区画部材
１７  左側区画部材
１９  内側レール
２０  外側レール
２２  球戻り防止片
２４  遊技球通過口
２５  開閉部材
２６  段差部
３０  取付ベース
３１  凹室
３２  入賞口
３４  球侵入阻止壁
３５  開口部
４０  入賞センサ
４１  入賞球排出路
４３  回動軸
４４  誘導曲面部
５０  変動入賞装置
５１  流下空部
５２  隆起部
５３  入賞センサ
５４  検出孔
５５  入賞口
【図１】
2006263124.tif 000003
【図２】
2006263124.tif 000004
【図３】
2006263124.tif 000005
【図４】
2006263124.tif 000006
【図５】
2006263124.tif 000007
【図６】
2006263124.tif 000008
【図７】
2006263124.tif 000009
【図８】
2006263124.tif 000010
【図９】
2006263124.tif 000011